【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
冷却される熱源、及びその中に排熱することができるヒートシンクを有するタイプの冷却システムであって、
約２〜約３０トンの能力を有し、
（ａ）少なくとも約９５重量％のトランス−１−クロロ−３，３，３−トリフルオロプロペン（トランス−１２３３ｚｄ）、又は少なくとも約８０重量％のトランス−１，３，３，３−テトラフルオロプロペン（トランス−ＨＦＯ−１２３４ｚｅ）を含む冷媒を含む熱伝達組成物；
（ｂ）約４５〜約７５ｋＰａの圧力の低圧冷媒蒸気を受容するための冷媒吸入口、及び約１００〜約５２０ｋＰａの圧力の高圧冷媒蒸気を吐出するための吐出口を有し、少なくとも約０．６５の効率を有する遠心圧縮機；
（ｃ）高圧冷媒蒸気を受容し、ヒートシンクによる熱伝達によって冷媒蒸気の少なくとも相当部分を凝縮させて、約１０℃〜約６０℃の範囲の温度の高圧冷媒液を生成させるための、圧縮機の冷媒吐出口に流体接続されている凝縮器；
（ｄ）高圧冷媒液の圧力を実質的に等エンタルピー低下させて、約４５〜約７５ｋＰａの圧力の低圧冷媒液を生成させるための、凝縮器に流体接続されている膨張器；
（ｅ）低圧冷媒液を受容し、冷却される熱源から熱を吸収することによって低圧冷媒液を蒸発させて、約４５〜約７５ｋＰａの圧力の低圧冷媒蒸気を生成させるための、膨張器に流体接続されていている蒸発器；及び
（ｆ）蒸発器と圧縮機の冷媒吸入口の間で流体接続されていて、蒸発器からの低圧冷媒蒸気の少なくとも一部を受容し、低圧冷媒蒸気を加熱して、少なくとも１つの熱交換器に導入される蒸気の温度よりも少なくとも約５℃高い温度を有する低圧冷媒蒸気を生成させる少なくとも１つの熱交換器（少なくとも１つの熱交換器からの高温冷媒蒸気は、低圧冷媒蒸気を圧縮機に供給するための圧縮機吸入口と流体接続されている）；
を含む冷却システム。
【請求項２】
冷媒が少なくとも約８０重量％のトランス−１，３，３，３−テトラフルオロプロペン（トランス−ＨＦＯ−１２３４ｚｅ）を含む、請求項１に記載の冷却システム。
【請求項３】
冷媒が少なくとも約９５重量％のトランス−１−クロロ−３，３，３−トリフルオロプロペン（トランス−１２３３ｚｄ）を含む、請求項１に記載の冷却システム。
【請求項４】
冷却される熱源、及びその中に排熱することができるヒートシンクを有するタイプの冷却システムであって、
約２〜約３０トンの能力を有し、
（ａ）少なくとも約９５重量％のトランス−１−クロロ−３，３，３−トリフルオロプロペン（トランス−１２３３ｚｄ）、又は少なくとも約７０重量％のトランス−１，３，３，３−テトラフルオロプロペン（トランス−ＨＦＯ−１２３４ｚｅ）を含む冷媒を含む熱伝達組成物；
（ｂ）第１段及び少なくとも第２段を有し、かかる段のそれぞれは、約４５〜約７５ｋＰａの圧力の相対的に低圧の冷媒蒸気を受容するための冷媒吸入口、及び約１００〜約５２０ｋＰａの圧力の相対的により高圧の冷媒蒸気を吐出するための冷媒吐出口を有し、少なくとも約０．６５の効率を有する遠心圧縮機；
（ｃ）少なくとも第２段からの高圧冷媒蒸気を受容し、ヒートシンクによる熱伝達によって冷媒蒸気の少なくとも相当部分を凝縮させて、約１０℃〜約６０℃の範囲の温度の高圧冷媒液を生成させるための、圧縮機の少なくとも第２段の冷媒吐出口に流体接続されている凝縮器；
（ｄ）高圧冷媒液の少なくとも第１の部分の圧力を実質的に等エンタルピー低下させて、約４５〜約７５ｋＰａの圧力の第１の低圧冷媒液を生成させるための、凝縮器に流体接続されている少なくとも第１の膨張器；
（ｅ）高圧冷媒液の少なくとも第２の部分の圧力を実質的に等エンタルピー低下させて、約１００〜約５２０ｋＰａの圧力の第２の低圧冷媒液を生成させるための、凝縮器に流体接続されている少なくとも第２の膨張器；
（ｆ）第１の低圧冷媒液を受容し、冷却される熱源から熱を吸収することによって低圧冷媒液を蒸発させて、約１００〜約５２０ｋＰａの圧力の低圧冷媒蒸気を生成させるための、少なくとも第１の膨張器に流体接続されていている蒸発器（蒸発器からの冷媒蒸気の少なくとも一部は第１段圧縮機吸入口に流体接続されている）；及び
（ｇ）第２の低圧冷媒液の少なくとも一部を受容し、それからほぼ第２の低圧冷媒液の圧力の冷媒蒸気を吐出するための、第２の膨張器と少なくとも第２段の吸入口の間で流体接続されている少なくとも１つ熱交換器及び／又は少なくとも１つのフラッシュタンク（ほぼ第２の低圧冷媒液の圧力の冷媒蒸気は第２段圧縮機吸入口に流体接続されている）；
を含む冷却システム。
【請求項５】
冷媒が少なくとも約８０重量％のトランス−１，３，３，３−テトラフルオロプロペン（トランス−ＨＦＯ−１２３４ｚｅ）を含む、請求項４に記載の冷却システム。
【請求項６】
冷媒が少なくとも約９５重量％のトランス−１−クロロ−３，３，３−トリフルオロプロペン（トランス−１２３３ｚｄ）を含む、請求項４に記載の冷却システム。
【請求項７】
冷却される熱源、及びその中に排熱することができるヒートシンクを有するタイプの冷却システムであって、
約２〜約５トンの能力を有し、
（ａ）少なくとも約９５重量％のトランス−１−クロロ−３，３，３−トリフルオロプロペン（トランス−１２３３ｚｄ）、又は少なくとも約８０重量％のトランス−１，３，３，３−テトラフルオロプロペン（トランス−ＨＦＯ−１２３４ｚｅ）を含む冷媒を含む熱伝達組成物；
（ｂ）約４５〜約７５ｋＰａの圧力の相対的に低圧の冷媒蒸気を受容するための冷媒吸入口、及び約１００〜約５２０ｋＰａの圧力の相対的により高圧の冷媒蒸気を吐出するための冷媒吐出口を有し、少なくとも約０．６５の効率を有する遠心圧縮機；
（ｃ）圧縮機からの高圧冷媒蒸気を受容し、ヒートシンクによる熱伝達によって冷媒蒸気の少なくとも相当部分を凝縮させて、約４５〜約７５ｋＰａの範囲の温度の高圧冷媒液を生成させるための、圧縮機の冷媒吐出口に流体接続されている凝縮器；
（ｄ）高圧冷媒液の少なくとも第１の部分の圧力を実質的に等エンタルピー低下させて、約４５〜約７５ｋＰａの圧力の第１の低圧冷媒液を生成させるための、凝縮器に流体接続されている少なくとも第１の膨張器；
（ｅ）低圧冷媒液を受容し、冷却される熱源から熱を吸収することによって低圧冷媒液の少なくとも一部を蒸発させて、約４５〜約７５ｋＰａの圧力の低圧冷媒蒸気を生成させるための、少なくとも第１の膨張器に流体接続されていている蒸発器（蒸発器からの冷媒蒸気の少なくとも一部は圧縮機吸入口に流体接続されており、凝縮器及び蒸発器の少なくとも１つは本質的な部分がアルミニウムで形成されている）；
を含む冷却システム。
【請求項８】
冷媒が少なくとも約８０重量％のトランス−１，３，３，３−テトラフルオロプロペン（トランス−ＨＦＯ−１２３４ｚｅ）を含む、請求項７に記載の冷却システム。
【請求項９】
冷媒が少なくとも約９５重量％のトランス−１−クロロ−３，３，３−トリフルオロプロペン（トランス−１２３３ｚｄ）を含む、請求項７に記載の冷却システム。
【請求項１０】
冷却される熱源、及びその中に排熱することができるヒートシンクを有するタイプの冷却システムであって、
約２〜約３０トンの能力を有し、
（ａ）少なくとも約９５重量％のトランス−１−クロロ−３，３，３−トリフルオロプロペン（トランス−１２３３ｚｄ）、又は少なくとも約８０重量％のトランス−１，３，３，３−テトラフルオロプロペン（トランス−ＨＦＯ−１２３４ｚｅ）を含む冷媒を含む熱伝達組成物；
（ｂ）約４５〜約７５ｋＰａの圧力の相対的に低圧の冷媒蒸気を受容するための冷媒吸入口、及び約１００ｋＰａ〜約５２０ｋＰａの圧力の相対的により高圧の冷媒蒸気を吐出するための冷媒吐出口を有し、少なくとも約０．６５の効率を有する遠心圧縮機；
（ｃ）圧縮機からの高圧冷媒蒸気を受容し、ヒートシンクによる熱伝達によって冷媒蒸気の少なくとも相当部分を凝縮させて、約１０℃〜約６０℃の範囲の温度の高圧冷媒液を生成させるための、圧縮機の冷媒吐出口に流体接続されている凝縮器；
（ｄ）高圧冷媒液の少なくとも第１の部分の圧力を実質的に等エンタルピー低下させて、約４５〜約７５ｋＰａの圧力の冷媒液と冷媒蒸気の組合せを含む低圧流を生成させるための、凝縮器に流体接続されている少なくとも第１の膨張器；
（ｅ）少なくとも、かかる少なくとも第１の膨張器からの冷媒蒸気と冷媒液の組合せを受容し、ほぼかかる低圧の液体冷媒を含み、実質的に蒸気の冷媒を含まない少なくとも１つの液体流出流、及びほぼかかる低圧の冷媒蒸気を含み、実質的に液体の冷媒を含まない低圧蒸気流を生成させるための分離器；及び
（ｆ）分離器からの少なくとも１つの液体流出流の少なくとも一部に流体接続されていて、冷却される熱源から熱を吸収することによってかかる流れの少なくとも一部を蒸発させて、約４５〜約７５ｋＰａの圧力の低圧冷媒蒸気を生成させるための蒸発器（蒸発器からの冷媒蒸気の少なくとも一部は圧縮機吸入口に流体接続されている）；
を含む冷却システム。
【請求項１１】
冷媒が少なくとも約８０重量％のトランス−１，３，３，３−テトラフルオロプロペン（トランス−ＨＦＯ−１２３４ｚｅ）を含む、請求項１０に記載の冷却システム。
【請求項１２】
冷媒が少なくとも約９５重量％のトランス−１−クロロ−３，３，３−トリフルオロプロペン（トランス−１２３３ｚｄ）を含む、請求項１０に記載の冷却システム。
【請求項１３】
冷却される熱源、及びその中に排熱することができるヒートシンクを有するタイプの冷却システムであって、
約２〜約３０トンの能力を有し、
（ａ）好ましくは少なくとも約９５重量％のトランス−１−クロロ−３，３，３−トリフルオロプロペン（トランス−１２３３ｚｄ）又は少なくとも約８０％のトランス−１，３，３，３−テトラフルオロプロペン（トランス−ＨＦＯ−１２３４ｚｅ）を含む燃焼抑制特性を有する冷媒を含む、閉止ループ冷却回路内の熱伝達組成物；
（ｂ）冷却される熱源に近接している領域内に配置されている、かかる近接領域内における炎又は火災の存在を感知するための少なくとも１つのセンサー；
（ｃ）冷却システム内に含まれる相対的に高圧の冷媒蒸気と連絡している、閉止ループ冷却回路内のポート；
（ｄ）センサーに応答し、冷却システムから冷媒蒸気の少なくとも一部を吐出するためのポートに流体連絡しているバルブ；及び
（ｅ）かかる近接領域に冷媒蒸気を送るための導管；
を含む冷却システム。
【手続補正２】
【補正対象書類名】明細書
【補正対象項目名】０００９
【補正方法】変更
【補正の内容】
【０００９】
本出願人らが認識するに至った問題及び困難性を克服するために、本発明の一形態は、冷却される熱源、及びその中に排熱することができるヒートシンクを有するタイプの冷却システムであって、
好ましくは約２〜約３０トンの能力を有し、
（ａ）少なくとも約８０重量％のトランス−１−クロロ−３，３，３−トリフルオロプロペン（ＨＣＦＯ−１２３３ｚｄ（Ｅ））、又は少なくとも約８０重量％のトランス−１，３，３，３−テトラフルオロプロペン（ＨＦＯ−１２３４ｚｅ（Ｅ））を含む冷媒を含む熱伝達組成物；
（ｂ）（ｉ）約４０〜約３５０ｋＰａの圧力の相対的に低圧の冷媒蒸気を受容するための冷媒吸入口(refrigerant suction)、及び（ｉｉ）所定圧力の相対的に高圧の冷媒蒸気を吐出するための吐出口(discharge)を有し、吐出口：吸入口の圧力比が少なくとも約２：１である遠心圧縮機；
（ｃ）圧縮機吐出冷媒蒸気の少なくとも一部を受容し、ヒートシンクによる熱伝達によって冷媒蒸気の少なくとも相当部分、好ましくは冷媒蒸気の実質的に全部を凝縮させて、約１０℃〜約６０℃の範囲の温度の相対的に高圧の冷媒液を生成させるための、圧縮機の冷媒吐出口に流体接続されている凝縮器；
（ｄ）高圧冷媒液の圧力を実質的に等エンタルピー低下させて、約４０〜約３５０ｋＰａの圧力の低圧冷媒液を生成させるための、凝縮器に流体接続されている膨張器；
（ｅ）膨張器からの低圧冷媒液を受容し、冷却される熱源から熱を吸収することによって低圧冷媒液を蒸発させて、約４０〜約３５０ｋＰａの圧力の相対的に低圧の冷媒蒸気を生成させるための、膨張器に流体接続されていている高効率蒸発器、好ましくは満液式蒸発器（蒸発器から排出される冷媒蒸気は好ましくは実質的に過熱を有しない）；
（ｆ）蒸発器と圧縮機の冷媒吸入口の間で流体接続されていて、蒸発器からの低圧冷媒蒸気の少なくとも一部を受容し、低圧冷媒蒸気を加熱して、少なくとも１つの熱交換器に導入される蒸気の温度よりも少なくとも約５℃高い温度を有する低圧冷媒蒸気を生成させる少なくとも１つの熱交換器（少なくとも１つの熱交換器からの高温冷媒蒸気は、低圧冷媒蒸気を圧縮機に供給するための圧縮機吸入口と流体接続されている）；
を含む上記冷却システムを提供する。